(57)【要約】    【課題】本発明の課題は、自動販売機の設定状態の確認が容易な自動販売機を提供することである。    【解決手段】商品を販売するための各種データが設定されている自動販売機において、販売モードと設定項目確認モードとを切り換えるモード切換手段と、自動販売機における設定項目を記憶する記憶手段と、モード切換手段により設定項目確認モードとすると、設定されている設定項目を表示器に表示する制御手段とを備えることにより、設定状態を確認する。【選択図】      図２
2006127086.tif 000002
【特許請求の範囲】
【請求項１】
商品を販売するための各種データが設定されている自動販売機において、販売モードと設定項目確認モードとを切り換えるモード切換手段と、自動販売機における設定項目を記憶する記憶手段と、モード切換手段により設定項目確認モードとすると、設定されている設定項目を表示器に表示する制御手段とを備えたことを特徴とする自動販売機。
【請求項２】
請求項１記載の自動販売機において、設定項目の状態を記憶する記憶手段を備え、設定項目確認モードにて、設定されている設定項目を表示器に表示した後、該設定が有効か無効であるかを表示器に表示することを特徴とする自動販売機。
【請求項３】
商品を販売するための各種データが設定されている自動販売機において、販売モードと設定項目チェックモードとを切り換えるモード切換手段と、自動販売機における設定項目を記憶する記憶手段と、設定項目の状態を記憶する記憶手段と、モード切換手段により設定項目チェックモードとすると、設定されている設定項目を表示器に表示するとともに、該設定が有効か無効であるかを表示器に表示する設定されている設定項目を表示器に表示する制御手段とを備えたことを特徴とする自動販売機。
【請求項４】
請求項２または３に記載の自動販売機において、設定有効時に、設定有効項目がコラム別に設定するものであれば、設定されているコラムに対応する商品選択釦の販売可能ランプすることを特徴とする自動販売機。
【請求項５】
商品を販売するための各種データが設定されている自動販売機において、販売モードとコラム別設定項目確認モードとを切り換えるモード切換手段と、コラム別の設定項目を記憶する記憶手段と、モード切換手段によりコラム別設定項目確認モードとすると、コラム別に設定されている設定項目を表示器に表示する制御手段とを備えたことを特徴とする自動販売機。
【請求項６】
商品を販売するための各種データが設定されている自動販売機において、自動販売機設定項目確認モードと自動販売機設定項目チェックモードとコラム別設定内容確認モードとを切り換えるモード切換手段と、自動販売機における設定項目を記憶する記憶手段と、設定項目の状態を記憶する記憶手段と、コラム毎の設定項目を記憶する記憶手段と、モード切換手段により選択したモードに応じた内容を表示器に表示する制御手段とを備えたことを特徴とする自動販売機。
【発明の詳細な説明】
【技術分野】
【０００１】
本発明は、自動販売機において、設定データを確認表示できる自動販売機に関する。
【背景技術】
【０００２】
自動販売機においては、商品選択釦に対応して設けられているコラムには、コラム毎に販売に関する各種データが設定記憶されており、その設定データに応じて、自動販売機の各種動作を実行するようになっている。
【０００３】
このコラムにデータを設定する場合には、例えば、リモコンなどの設定装置を用い、設定するデータの設定モードとしたうえで、設定値を入力し、その後、コラムに対応する商品選択釦を押圧して、メモリの所定領域に設定記憶させるのが一般的である。
【０００４】
このように設定されたデータを確認しようとする場合には、やはり、リモコンなどの設定装置を用い、確認モードとしたうえで、その確認したいデータを金額表示器などに表示させ、そのデータが設定されている商品選択釦の販売可能ランプを点灯させることにより、その商品選択釦に対応するコラムの設定データを確認していた (特許文献１参照）。
【特許文献１】特開平８−３０５９４０号公報
【発明の開示】
【発明が解決しようとする課題】
【０００５】
ところで、従来の方式では、コラム毎に設定データの確認は可能であるが、自動販売機全体として、どのような設定がされているのかが判りづらい状況であった。
【０００６】
すなわち、自動販売機の年々多機能化が進み、設定項目数が増加する傾向にあり、現在、必要な設定が行なえているのかあるいは実際に有効となり、機能しているのが判りづらいとの問題点があった。
【０００７】
本発明の課題は、自動販売機の設定状態の確認が容易な自動販売機を提供することである。
【課題を解決するための手段】
【０００８】
本発明は、以下の手段により達成されるものである。
【０００９】
第１は、商品を販売するための各種データが設定されている自動販売機において、販売モードと設定項目確認モードとを切り換えるモード切換手段と、自動販売機における設定項目を記憶する記憶手段と、モード切換手段により設定項目確認モードとすると、設定されている設定項目を表示器に表示する制御手段とを備えることにより達成される。
【００１０】
上記手段に加え、設定項目の状態を記憶する記憶手段を備え、設定項目確認モードにて、設定されている設定項目を表示器に表示した後、該設定が有効か無効であるかを表示器に表示することにより達成される。
【００１１】
第２は、商品を販売するための各種データが設定されている自動販売機において、販売モードと設定項目チェックモードとを切り換えるモード切換手段と、自動販売機における設定項目を記憶する記憶手段と、設定項目の状態を記憶する記憶手段と、モード切換手段により設定項目チェックモードとすると、設定されている設定項目を表示器に表示するとともに、該設定が有効か無効であるかを表示器に表示する設定されている設定項目を表示器に表示する制御手段とを備えることにより達成される。
【００１２】
また、上記手段において、設定有効時に、設定有効項目がコラム別に設定するものであれば、設定されているコラムに対応する商品選択釦の販売可能ランプすることにより達成される。
【００１３】
第３は、商品を販売するための各種データが設定されている自動販売機において、販売モードとコラム別設定項目確認モードとを切り換えるモード切換手段と、コラム別の設定項目を記憶する記憶手段と、モード切換手段によりコラム別設定項目確認モードとすると、コラム別に設定されている設定項目を表示器に表示する制御手段とを備えることにより達成される。
【００１４】
第４は、商品を販売するための各種データが設定されている自動販売機において、自動販売機設定項目確認モードと自動販売機設定項目チェックモードとコラム別設定内容確認モードとを切り換えるモード切換手段と、自動販売機における設定項目を記憶する記憶手段と、設定項目の状態を記憶する記憶手段と、コラム毎の設定項目を記憶する記憶手段と、モード切換手段により選択したモードに応じた内容を表示器に表示する制御手段とを備えることにより達成される。
【発明の効果】
【００１５】
本発明は、自動販売機全体の設定項目を確認できるモード、当該設定項目が有効であるか否かをチェックできるモード、コラム別の設定項目を確認できるモードの各モードを単独または複数備え、各モードに応じた表示を行なえるようにしたので、管理者は、確認あるいはチェックを行ないたい項目に応じて、設定状態を一括して順に確認できるため、確認作業が容易に行なえるという効果が得られる。
【発明を実施するための最良の形態】
【００１６】
以下に、本発明の実施の形態を図１ないし図８を用いて説明する。
【００１７】
まず、図１は、本発明の実施の対象となる自動販売機の概略正面図の一例を示すものであり、自動販売機１は、その本体キャビネット前面に外扉２を備えており、本体キャビネット内には複数（ｎ個）のコラムを備えている。このコラムは、複数種類の商品を個別に収納する一方、商品選択ボタン３が押され、販売指令が与えられた場合に押された商品選択ボタン３に対応する商品の搬出を行なうものであり、対応関係が割り付けられ。メモリ１３に記憶されている。
【００１８】
その前面側に外部から視認可能な商品見本１０を内部に配列した商品見本展示室１０ａ、複数種類の商品に対して設けられる商品選択ボタン３、金額表示器４、紙幣あるいはカード挿通口５、硬貨投入口６、返却レバー７、硬貨返却口８、商品取出口９が設けられ、商品見本１０は、それぞれコラムに収納した商品を現し、商品選択ボタン３に対応して設けられている。
【００１９】
次に、図２は、本発明の一実施の形態を示す構成ブロック図である。
【００２０】
まず、１１は自動販売機全体を制御するマスタ制御部であり、マスタ制御部１１には、制御プログラムを格納するメモリ１２、自動販売機の設定データおよびコラム毎のセッテイデータなど種々のデータを記憶するメモリ１３、各種設定を行なうリモコンなどからなり、モードキー１４ａ，アップキー１４ｂ，ダウンキー１４ｃ，書込キー１４ｄ，終了キー１４ｅなどを有する設定装置１４、商品搬出を行なう商品搬出装置１５、庫内の商品を冷却あるいは加熱する冷熱装置１６、貨幣処理装置１７などが接続されており、図１に商品選択釦３、金額表示器４も電気的に接続されている。
【００２１】
なお、図１には図示していないが、商品選択釦３は、示した販売可能ランプ３ａおよび売切ランプ３ｂを内蔵する。
【００２２】
なお、図３は、メモリ１３に設定されている設定項目一覧の抜粋を示した図である。
【００２３】
この構成において、各モードについて、以下に説明する。
（１）全体設定項目の確認モードについて
全体設定項目の確認モードについて、図４のフローチャートおよび図５の表示例を参照しながら説明すると、設定装置１４のモードキー１４ａ，アップキー１４ｂ，ダウンキー１４ｃ，書込キー１４ｄなどを操作して、全体設定内容の確認モードすることにより（ステップＳ４１）、全体設定内容の中で、図５の（ａ）に示すように、１番若い設定内容のコード番号、例えば「１（図３参照）」を金額表示器４に表示する（ステップＳ４２）。次に、次の設定項目を確認したい場合には、設定装置１４のアップキー１４ｂを操作することにより（ステップＳ４３）、図５の（ｂ）に示すように、次の設定内容のコード番号「８（図３参照）」を金額表示器４に表示する（ステップＳ４４）。次に、最後の設定項目に達した場合には、設定装置１４のアップキー１４ｂを操作すると（ステップＳ４５）、図５の（ｃ）に示すように、「−」を金額表示器４に表示することにより（ステップＳ４６）、最後の項目まで設定したことが理解できる。次に、設定装置１４の終了キー１４ｅを押すと（ステップＳ４７）、全体設定内容の確認モードを終了し、待機状態と戻る。
【００２４】
なお、ステップＳ４６にて「−」表示したときに、アップキー・ダウンキー，書込キーなどを操作することにより、先頭のコード番号あるいは最後のコード番号などを表示することも可能となる。
【００２５】
このように、全体設定内容の確認モードにおいては、自動販売機全体の設定内容が表示可能となる。
（２）設定項目のチェックモード
設定項目のチェックモードについて、図６のフローチャートおよび図７の表示例を参照しながら説明すると、設定装置１４のモードキー１４ａ，アップキー１４ｂ，ダウンキー１４ｃ，書込キー１４ｄなどを操作して、設定内容の確認モードすることにより（ステップＳ６１）、自動販売機の設定内容の中で、図７の（ａ）に示すように、１番若い設定内容のコード番号、例えば「１（図３参照）」を金額表示器４に表示する（ステップＳ６２）。次に、次の設定項目を確認したい場合には、設定装置１４のアップキー１４ｂを操作することにより（ステップＳ６３）、図７の（ｂ）に示すように、次の設定内容のコード番号「８（図３参照）」を金額表示器４に表示する（ステップＳ６４）。次に、このモードでは、ここで、書込キー１４ｄを押すと（ステップＳ６５）、選択された設定内容が、有効か無効かを判断し（ステップＳ６６）、設定が有効であれば（ステップＳ６６，Ｙ）、図７の（ｃ）に示すように、金額表示器４に「○」を表示し（ステップＳ６７）、設定が無効であれば（ステップＳ６６，Ｎ）、図７の（ｃ）に示す「○」表示に換えて、図７の（ｄ）に示すように、金額表示器４に「×」を表示する（ステップＳ６８）。また、この時に、設定内容がコラム別に設定か否かを判断し（ステップＳ６９）、コラム別に設定するものであれば（ステップＳ６９，Ｙ）、設定が完了しているコラムに対応する商品選択釦３の販売可能ランプ３aを点灯する（ステップＳ７０）。次に、設定装置１４の終了キー１４ｅを押すと（ステップＳ７１）、設定内容の確認モードを終了し、待機状態と戻るが、終了キー１４ｅを押さずに、アップキーあるいはダウンキーを操作すると、次のデータに移行する。
【００２６】
なお、桁位置を換えて、設定コード番号と有効／無効の判定結果を同時に表示させてもよい。
【００２７】
このように、設定内容の確認モードにおいては、設定内容が有効か無効かの表示が可能となり、設定状態を簡単に判断できる。
（３）コラム別設定内容の確認モード
コラム別設定内容の確認モードについて、図８のフローチャートおよび図９の表示例を参照しながら説明すると、設定装置１４のモードキー１４ａ，アップキー１４ｂ，ダウンキー１４ｃ，書込キー１４ｄなどを操作して、コラム別設定内容の確認モードすることにより（ステップＳ８１）、図９の（ａ）に示すように、先頭のコラム番号「ＣＬ  １」を金額表示器４に表示する（ステップＳ８２）。次に、表示しているコラム番号の設定項目を確認したい場合には、設定装置１４の書込キー１４ｄを操作することにより（ステップＳ８３）、図９の（ｂ）に示すように、設定内容のコード番号「１（図３参照）」を金額表示器４に表示するとともに（ステップＳ８４）。コラム番号「ＣＬ  １」に対応する商品選択釦３の販売可能ランプ３aを表示する（ステップＳ８５）。次に、設定装置１４の書込キー１４ｅを再度、押すと（ステップＳ８６）、図９の（ｃ）に示すように、「コラム番号「ＣＬ  １」に設定されている内容の次のコード番号「２（図３参照）」を金額表示器４に表示する（ステップＳ８７）。次に、設定装置１４の書込キー１４ｅを押していき（ステップＳ８８）、設定されている内容が最後まで達した場合には、図８の（ｄ）に示すように、「−」を金額表示器４に表示する（ステップＳ８９）。次に、コラムを切り換える場合には、設定装置１４のアップキー１４ｂ，ダウンキー１４ｃあるいは商品選択釦３を操作して（ステップＳ９０）、次のコラム番号を表示させ（ステップＳ９１）、次に、設定装置１４の終了キー１４ｅを押すと（ステップＳ９２）、設定内容の確認モードを終了し、待機状態と戻る。
【００２８】
このように、コラム別設定内容の確認モードにおいては、そのコラムに対して、どれだけの機能が設定されているかを順に確認できる。
【００２９】
なお、各モードを個別に説明したが、各モードは単独あるいは複数で備えてもよく、複数のモードを備えた場合にはそれぞれ切り換えてモードを選択可能とする。
【００３０】
また、表示器に関し、金額表示器を用いたが、広告用の表示器あるいは内部表示器などがあれば、その表示器を利用してもよく、また、大型表示器であれば、コード番号とともに項目名を表示するようにしてもよい。
【００３１】
さらに、設定装置に関し、アップ・ダウンキーなどを用いたが、０〜９のテンキーを備えていれば、数値を直接入力してもよく、設定装置に表示部を有する場合には、この表示部にデータを表示させてもよい。
【図面の簡単な説明】
【００３２】
【図１】本発明の実施の形態である自動販売機の制御装置を示す構成ブロック図
【図２】本発明の対象となる自動販売機の概略正面図
【図３】本発明の実施の形態であるメモリの記憶領域の一例を示す図
【図４】本発明の実施の形態を示す全体設定内容の確認モードを示すフローチャート図
【図５】本発明の実施の形態を示す全体設定内容の確認モードの表示例を示す図
【図６】本発明の実施の形態を示す設定内容の確認モードを示すフローチャート図
【図７】本発明の実施の形態を示す設定内容の確認モードの表示例を示す図
【図８】本発明の実施の形態を示すコラム別設定内容の確認モードを示すフローチャート図
【図９】本発明の実施の形態を示すコラム別設定内容の確認モードの表示例を示す図
【符号の説明】
【００３３】
１          自動販売機
３          商品選択釦
３ａ        販売可能ランプ
３ｂ        売切ランプ
４          金額表示器
１１        マスタ制御部
１２、１３  メモリ
１４        設定装置
【図１】
2006127086.tif 000003
【図２】
2006127086.tif 000004
【図３】
2006127086.tif 000005
【図４】
2006127086.tif 000006
【図５】
2006127086.tif 000007
【図６】
2006127086.tif 000008
【図７】
2006127086.tif 000009
【図８】
2006127086.tif 000010
【図９】
2006127086.tif 000011